(57)【特許請求の範囲】
【請求項１】
第１の筐体と、
第２の筐体と、
これら第１の筐体と第２の筐体の一端側に設けられ、第１の筐体と第２の筐体とを折り畳んだ状態から相対的に回転させて、第１の方向に開放させたり、前記折り畳んだ状態から前記第１の方向と直交する第２の方向に開放させたりするための、複数の軸からなる回転ヒンジ部と、
前記第１の筐体と第２の筐体を前記第１の方向及び前記第２の方向に開いた際に、当該第１の筐体と第２の筐体の表面上にあって所定距離だけ離間した位置に配置したマイク孔とレシーバ孔と、を備え、
前記レシーバ孔は、前記第１の筐体の前記回転ヒンジ部近傍に設けられ、
前記マイク孔は、前記第２の筐体の前記回転ヒンジ部と離間する端部に設けられた
ことを特徴とする携帯通信機器。
【請求項２】
前記第１の筐体に表示部を設け、
前記第２の筐体に操作部を設けたことを特徴とする請求項１に記載の携帯通信機器。
【請求項３】
前記マイク孔とレシーバ孔とを、前記第１の筐体と第２の筐体の平面上にあってほぼ対角線上の位置に配置したことを特徴とする請求項１または２に記載の携帯通信機器。
【請求項４】
前記回転ヒンジ部の前記複数の軸は互いに交差していることを特徴とする請求項１から３のいずれか一項に記載の携帯通信機器。
【請求項５】
前記筐体の少なくとも一方を把持しやすい形状に形成したことを特徴とする請求項１から４のいずれか一項に記載の携帯通信機器。
【請求項６】
前記筐体の少なくとも一方に把持しやすくする把持補助部材を設けたことを特徴とする請求項１から５のいずれか一項に記載の携帯通信機器。
【請求項７】
前記筐体の少なくとも一方を把持すると弾性変形する軟質材により形成したことを特徴とする請求項１から４のいずれか一項に記載の携帯通信機器。
【請求項８】
前記筐体の少なくとも一方に把持しやすくする滑り止め部を設けたことを特徴とする請求項１から７のいずれか一項に記載の携帯通信機器。
【発明の詳細な説明】
【技術分野】
【０００１】
本発明は、複数本のヒンジ軸を一箇所に設けるヒンジ構造と、マイク及びレシーバとを備える折り畳み式の携帯通信機器に関する。
【背景技術】
【０００２】
特許文献１に、筐体の同一角部近傍に交差配置した２本のヒンジ軸を備え、操作部筐体に対し表示部筐体を縦方向あるいは横方向の何れの方向にも開放できるようにした携帯通信機器において、表示部筐体を縦方向に開いた場合にマイクとレシーバとが相当距離だけ離間した位置となるように、操作部筐体の端部にマイクを、表示部筐体の端部にレシーバを設けるようにした技術が開示されている。
【特許文献１】特開２００５−３８２１７号公報
【発明の開示】
【発明が解決しようとする課題】
【０００３】
しかし、特許文献１では、例えば図１３（ａ）に示すように、交差配置した２本のヒンジ軸１１１・１１２を一箇所に設けて、表示部筐体１０１を縦方向に開いた場合にマイク１２２とレシーバ１２１とが相当距離だけ離れるように、操作部筐体１０２のヒンジ軸１１１・１１２と反対側の端部にマイク１２２を設けて、表示部筐体１０２のヒンジ軸１１１・１１２と反対側の端部にレシーバ１２１を設けている。このように構成したものでは、例えば図１３（ｂ）に示したように、表示部筐体１０１を横方向に開放すると、マイク１２２とレシーバ１２１とは横に近接した位置で配置されてしまうため、通話がほとんどできない状態となってしまう。
従って、表示部筐体１０１を横方向に開放している時に着信があると直ぐに電話に出ることができず、縦状態に切り替えてから通話するしかなかった。
【０００４】
本発明の課題は、複数本のヒンジ構造を一箇所に設け、マイク及びレシーバとを備える折り畳み式の携帯通信機器において、筐体を縦方向、横方向の何れの状態に開いていても、マイク孔とレシーバ孔が所定の離れた位置に並ぶように配置されていて、その開いた状態のまま通話を可能とすることである。
【課題を解決するための手段】
【０００５】
以上の課題を解決するため、請求項１に記載の発明は、第１の筐体と、第２の筐体と、これら第１の筐体と第２の筐体の一端側に設けられ、第１の筐体と第２の筐体とを折り畳んだ状態から相対的に回転させて、第１の方向に開放させたり、前記折り畳んだ状態から前記第１の方向と直交する第２の方向に開放させたりするための、複数の軸からなる回転ヒンジ部と、前記第１の筐体と第２の筐体を前記第１の方向及び前記第２の方向に開いた際に、当該第１の筐体と第２の筐体の表面上にあって所定距離だけ離間した位置に配置したマイク孔とレシーバ孔と、を備え、前記レシーバ孔は、前記第１の筐体の前記回転ヒンジ部近傍に設けられ、前記マイク孔は、前記第２の筐体の前記回転ヒンジ部と離間する端部に設けられた携帯通信機器を特徴とする。
【０００６】
請求項２に記載の発明は、請求項１に記載の携帯通信機器であって、前記第１の筐体に表示部を設け、前記第２の筐体に操作部を設けたことを特徴とする。
【０００７】
請求項３に記載の発明は、請求項１または２に記載の携帯通信機器であって、前記マイク孔とレシーバ孔とを、前記第１の筐体と第２の筐体の平面上にあってほぼ対角線上の位置に配置したことを特徴とする。
【０００８】
請求項４に記載の発明は、請求項１から３のいずれか一項に記載の携帯通信機器であって、前記回転ヒンジ部の前記複数の軸は互いに交差していることを特徴とする。
【０００９】
請求項５に記載の発明は、請求項１から４のいずれか一項に記載の携帯通信機器であって、前記筐体の少なくとも一方を把持しやすい形状に形成したことを特徴とする。
【００１０】
請求項６に記載の発明は、請求項１から５のいずれか一項に記載の携帯通信機器であって、前記筐体の少なくとも一方に把持しやすくする把持補助部材を設けたことを特徴とする。
【００１１】
請求項７に記載の発明は、請求項１から４のいずれか一項に記載の携帯通信機器であって、前記筐体の少なくとも一方を把持すると弾性変形する軟質材により形成したことを特徴とする。
【００１２】
請求項８に記載の発明は、請求項１から７のいずれか一項に記載の携帯通信機器であって、前記筐体の少なくとも一方に把持しやすくする滑り止め部を設けたことを特徴とする。
【発明の効果】
【００１３】
本発明によれば、筐体を縦方向、横方向の何れの状態に開いていたとしても、マイク孔とレシーバ孔とが離れた位置に並ぶように配置することができるため、着信が有った場合にオフフックして通話が直ぐにできるようになる。
【発明を実施するための最良の形態】
【００１４】
以下、図を参照して本発明を実施するための最良の形態を詳細に説明する。
（実施形態１）
図１及び図２は本発明を適用した携帯通信機器の一実施形態の構成として携帯電話を示したもので、１は表示部筐体（第１の筐体）、２は操作部筐体（第２の筐体）、３は表示部、４は操作部、５は回転ヒンジ部、６は第１のヒンジ軸、７は第２のヒンジ軸、８は連結部材、１１はレシーバから報音するための報音孔からなるレシーバ部(以下、単にレシーバと呼ぶ)、１２はマイクで集音せせるための集音孔からなるマイク部(以下、単にマイクと呼ぶ)、１３は滑り止め部である。なお、レシーバと報音孔とは離れた位置に設けられていても良く、また、マイクと集音孔も離れた位置に設けられていても良い。また、報音孔、集音孔は単なる孔だけではなく、孔に防水型の振動膜を設けたものであってもよい。
【００１５】
図示のように、第１の筐体は表示部３を有する表示部筐体１で、第２の筐体は操作部４を有する操作部筐体２であり、これら表示部筐体１と操作部筐体２は、回転ヒンジ部５を介して結合されている。この回転ヒンジ部５は、第１のヒンジ軸６及び第２のヒンジ軸７により構成されている。この回転ヒンジ部５により、表示部筐体１と操作部筐体２は、折り畳んだ状態から縦方向に開放動作させて、図１に示す携帯スタイルとしたり、横方向に開放動作させて、図２に示すＰＣスタイルとすることが可能となっている。
【００１６】
第１のヒンジ軸６は、表示部筐体１の長手方向の一端側角部１ａに対し相対回転自在に組み付けられている。
第２のヒンジ軸７は、第１のヒンジ軸６と軸線が直交するもので、操作部筐体２の長手方向の一端側角部２ａに対し相対回転自在に組み付けられている。
これら第１のヒンジ軸６及び第２のヒンジ軸７は、連結部材８により回転自在に夫々軸受支持されている。この連結部材８はカバーも兼ねている。
【００１７】
以上のヒンジ構造を備える携帯電話において、表示部筐体１の表示部３を有する面には、図１に示すように、その表示部３より上方（回転ヒンジ部５と反対側）で中央部からやや左寄りの位置にレシーバ１１が配置されている。
そして、操作部筐体２の操作部４を有する面には、図１及び図２に示すように、その操作部２より上方（回転ヒンジ部５側）で左側の位置にマイク１２が配置されている。このマイク１２とレシーバ１１は、筐体を縦方向に開いた携帯スタイル時は勿論、特に、筐体を横方向に開いたＰＣスタイル時にも送受話が可能となる少なくとも所定距離だけ離間した配置となっている。
【００１８】
さらに、図示例において、操作部筐体２の両側面部には、例えばシボ加工等による滑り止め部１３が形成されている。
【００１９】
以上、実施形態の携帯電話によれば、折り畳み状態から操作部筐体２に対し表示部筐体１を第２のヒンジ軸７を介して回動して、図１に示すように、筐体を縦方向に開いた状態において、表示部３より上方のレシーバ１１と操作部４より上方のマイク１２が、操作者の耳と口の近傍に夫々位置して、送受話を確保できる。
【００２０】
また、折り畳み状態から操作部筐体２に対し表示部筐体１を第１のヒンジ軸６を介して回動して、図２に示すように、筐体を横方向に開いたＰＣスタイル時においても、図示例では表示部３より下方のレシーバ１１と操作部４より上方のマイク１２が、送受話が可能となる少なくとも所定距離だけ離間して、操作者の耳と口の近傍に夫々位置するものとなる。
従って、ＰＣスタイル時に一度オンフックしてから縦方向に開いて携帯スタイル状態にする手間を要することなく、そのＰＣスタイル状態のままでオフフックして送受話を確保できる。
【００２１】
さらに、折り畳み状態や携帯スタイルでの筐体の把持状態において、操作部筐体２の両側面部の滑り止め部１３の存在により、筐体が手から滑り落ちるのを防止できる。
【００２２】
（実施形態２）
図３及び図４は実施形態２の携帯電話を示したもので、前述した実施形態１と同様、１は表示部筐体、２は操作部筐体、３は表示部、４は操作部、５は回転ヒンジ部、６は第１のヒンジ軸、７は第２のヒンジ軸、８は連結部材、１１はレシーバ、１２はマイク、１３は滑り止め部である。
【００２３】
実施形態２では、図示のように、表示部筐体１には、図３に示すように、表示部３より下方（回転ヒンジ部５側）で中央部からやや左寄りの位置にレシーバ１１が配置されている。
そして、操作部筐体２には、図３及び図４に示すように、その操作部２より下方（回転ヒンジ部５と反対側）で左側の位置にマイク１２が配置されている。
【００２４】
以上、実施形態２の携帯電話によっても、図３に示すように、筐体を縦方向に開いた状態において、表示部３より下方のレシーバ１１と操作部４より下方のマイク１２が、操作者の耳と口の近傍に夫々位置して、送受話を確保できる。
【００２５】
また、図４に示すように、筐体を横方向に開いたＰＣスタイル時においても、図示例では表示部３より上方のレシーバ１１と操作部４より下方のマイク１２が、送受話が可能となる少なくとも所定距離だけ離間して、操作者の耳と口の近傍に夫々位置するものとなって、送受話を確保できる。
【００２６】
（実施形態３）
図５から図７は実施形態３の携帯電話を示したもので、前述した実施形態１と同様、１は表示部筐体、２は操作部筐体、３は表示部、４は操作部、５は回転ヒンジ部、６は第１のヒンジ軸、７は第２のヒンジ軸、８は連結部材、１１はレシーバ、１２はマイク、１３は滑り止め部であって、１４は把持用幅狭部である。
【００２７】
実施形態３では、図示のように、表示部筐体１には、図６に示すように、表示部３より上方（回転ヒンジ部５と反対側）でほぼ中央の位置にレシーバ１１が配置されている。
また、操作部筐体２には、図６及び図７に示すように、その操作部２より上方（回転ヒンジ部５側）で左側の位置にマイク１２が配置されている。
【００２８】
そして、表示部筐体１及び操作部筐体２の両側面部は、携帯スタイル、ＰＣスタイルのいずれの場合においても、左右どちらの手でも握りやすいように、中央部を絞った湾曲形状の把持用幅狭部１４に形成されている。
さらに、図示例においては、この把持用幅狭部１４に滑り止め部１３が形成されている。
【００２９】
以上、実施形態３の携帯電話によっても、図６に示すように、筐体を縦方向に開いた状態において、表示部３より上方のレシーバ１１と操作部４より上方のマイク１２が、操作者の耳と口の近傍に夫々位置して、送受話を確保できる。
また、図７に示すように、筐体を横方向に開いたＰＣスタイル時においても、図示例では表示部３より下方のレシーバ１１と操作部４より上方のマイク１２が、送受話が可能となる少なくとも所定距離だけ離間して、操作者の耳と口の近傍に夫々位置するものとなって、送受話を確保できる。
【００３０】
そして、携帯スタイル及びＰＣスタイルのいずれの場合においても、表示部筐体１及び操作部筐体２の両側面部に夫々形成された、中央部を絞った湾曲形状の把持用幅狭部１４の存在により、どちらの手でも握りやすい利点が得られる。
従って、携帯スタイル及びＰＣスタイルともに握りやすくて通話しやすいといった利点も得られる。
【００３１】
（実施形態４）
図８及び図９は実施形態４の携帯電話を示したもので、前述した実施形態１と同様、１は表示部筐体、２は操作部筐体、５は回転ヒンジ部、６は第１のヒンジ軸、８は連結部材であって、２１は把持補助部材である。
【００３２】
実施形態４では、前述した実施形態１の携帯電話において、表示部筐体１の前記表示部３を有しない面に、図示のように、把持補助部材としてのベルト２１を設けている。このベルト２１は、伸縮する素材により形成されたもので、図示のように、その両端部が表示部筐体１の長手方向の両側に固着されている。図９（ｂ）は手を入れるためにベルト２１を伸ばした状態を示している。
【００３３】
以上、実施形態４の携帯電話によれば、前述した実施形態１により得られる効果に加えて、ベルト２１を伸ばして表示部筐体１の背面との間に手を通すことで、筐体を保持することができる。
従って、携帯スタイル及びＰＣスタイルともに握りやすくて通話しやすいといった利点が得られる。
【００３４】
なお、ベルト２１は、表示部筐体１に代えて操作部筐体２に設けても良く、あるいは、表示部筐体１及び操作部筐体２の両方に設けても良い。
【００３５】
（実施形態５）
図１０は実施形態５の携帯電話を示したもので、前述した実施形態１と同様、１は表示部筐体、２は操作部筐体、３は表示部、４は操作部、５は回転ヒンジ部、６は第１のヒンジ軸、７は第２のヒンジ軸、８は連結部材、１１はレシーバ、１２はマイクであって、１５・１６・１７・１８・１９は弾性変形部である。
【００３６】
実施形態５では、図示のように、表示部筐体１には、図１０（ｂ）に示すように、表示部３より上方（回転ヒンジ部５と反対側）でほぼ中央の位置にレシーバ１１が配置されている。また、操作部筐体２には、図１０（ｂ）に示すように、その操作部２より上方（回転ヒンジ部５側）で左側の位置にマイク１２が配置されている。
【００３７】
そして、表示部筐体１及び操作部筐体２は、携帯スタイル、ＰＣスタイルのいずれの場合においても、左右どちらの手でも握りやすいように、把持すると弾性変形する軟質材により形成されている。すなわち、手で握っていない状態では図１０（ａ）に示すように、表示部筐体１と操作部筐体２とは弾性変形しないが、図１０（ｂ）に示すように、筐体を縦方向に開いた状態では操作部筐体２が弾性変形し、また、１０（ｃ）に示すように、筐体を横方向に開いたＰＣスタイル時においては、表示部筐体１と操作部筐体２とが弾性変形する（図１０（ｂ）、１０（ｃ）の何れも左手で持った場合を示す）。
【００３８】
以上、実施形態５の携帯電話によっても、図１０（ｂ）に示すように、筐体を縦方向に開いた状態において、表示部３より上方のレシーバ１１と操作部４より上方のマイク１２が、操作者の耳と口の近傍に夫々位置して、送受話を確保できる。
また、１０（ｃ）に示すように、筐体を横方向に開いたＰＣスタイル時においても、図示例では表示部３より上方のレシーバ１１と操作部４より下方のマイク１２が、送受話が可能となる少なくとも所定距離だけ離間して、操作者の耳と口の近傍に夫々位置するものとなって、送受話を確保できる。
【００３９】
そして、携帯スタイル及びＰＣスタイルのいずれの場合においても、表示部筐体１及び操作部筐体２を夫々形成する軟質材が、把持する夫々の指により弾性変形部１５・１６・１７・１８・１９となって、手の方にフィットすることにより、どちらの手でも握りやすい利点が得られる。
従って、携帯スタイル及びＰＣスタイルともに握りやすくて通話しやすいといった利点も得られる。
【００４０】
（実施形態６）
図１１は実施形態６の携帯電話を簡略化して示したもので、前述した実施形態１とほぼ同様、１は表示部筐体、２は操作部筐体、３は表示部、４は操作部、５は回転ヒンジ部、６は第１のヒンジ軸、７は第２のヒンジ軸、８は連結部材、１１はレシーバ、１２はマイクである。
【００４１】
実施形態６では、図示のように、表示部筐体１には、図１１（ａ）に示すように、表示部３より上方（回転ヒンジ部５と反対側）に幅広のレシーバ１１が配置されている。また、操作部筐体２には、図１１（ａ）及び（ｂ）に示すように、その操作部２より上方（回転ヒンジ部５側）で右側の位置にマイク１２が配置されている。
以上により、レシーバ１１とマイク１２は、図示のように、表示部筐体１と操作部筐体２の平面上にあってほぼ対角線上の位置に配置されている。
【００４２】
以上、実施形態６の携帯電話によっても、図１１（ａ）に示すように、筐体を縦方向に開いた状態において、表示部３より上方のレシーバ１１と操作部４より上方のマイク１２が、操作者の耳と口の近傍に夫々位置して、送受話を確保できる。
また、図１１（ｂ）に示すように、筐体を横方向に開いたＰＣスタイル時においても、図示例では表示部３より下方のレシーバ１１と操作部４より上方のマイク１２が、ほぼ対角線上において、送受話が可能となる少なくとも所定距離だけ離間して、操作者の耳と口の近傍に夫々位置するものとなって、送受話を確保できる。
【００４３】
（実施形態７）
図１２は実施形態７の携帯電話を簡略化して示したもので、前述した実施形態６とほぼ同様、１は表示部筐体、２は操作部筐体、３は表示部、４は操作部、５は回転ヒンジ部、６は第１のヒンジ軸、７は第２のヒンジ軸、８は連結部材、１１はレシーバ、１２はマイクである。
【００４４】
実施形態７では、図示のように、表示部筐体１には、図１２（ａ）に示すように、表示部３より下方（回転ヒンジ部５側）に幅広のレシーバ１１が配置されている。また、操作部筐体２には、図１２（ａ）及び（ｂ）に示すように、その操作部２より下方（回転ヒンジ部５と反対側）で右側の位置にマイク１２が配置されている。
以上により、レシーバ１１とマイク１２は、図示のように、表示部筐体１と操作部筐体２の平面上にあってほぼ対角線上の位置に配置されている。
【００４５】
以上、実施形態７の携帯電話によっても、図１２（ａ）に示すように、筐体を縦方向に開いた状態において、表示部３より下方のレシーバ１１と操作部４より下方のマイク１２が、操作者の耳と口の近傍に夫々位置して、送受話を確保できる。
また、図１２（ｂ）に示すように、筐体を横方向に開いたＰＣスタイル時においても、図示例では表示部３より上方のレシーバ１１と操作部４より下方のマイク１２が、ほぼ対角線上において、送受話が可能となる少なくとも所定距離だけ離間して、操作者の耳と口の近傍に夫々位置するものとなって、送受話を確保できる。
【００４６】
（他の変形例）
なお、以上の実施形態においては、携帯電話としたが、本発明はこれに限定されるものではなく、電卓、電子辞書、デジタルカメラ、ビデオカメラ、ＰＤＡ、ノートパソコン、ウェアラブルパソコンなどの、マイクとレシーバとを備えた携帯通信機器すべてに用いることができる。
また、回転ヒンジ部について、実施形態では、交差した複数の軸から構成したが、交差していなくとも直角となる位置に夫々の軸を設けるものも含まれる。さらに、回転ヒンジ部の軸は、別体として分離して設けても良く、また、表示部筐体の縦方向の開放状態で、表示部筐体を回転自在とする第３のヒンジ軸を設けても良い。
また、筐体、回転ヒンジ部の構成、マイクとレシーバの形状等も任意であり、その他、把持補助部材の構成等、具体的な細部構造等についても適宜に変更可能であることは勿論である。
【図面の簡単な説明】
【００４７】
【図１】本発明を適用した携帯通信機器の一実施形態の構成を示すもので、携帯電話を縦方向に開いた状態を示した斜視図である。
【図２】図１の携帯電話を横方向に開いた状態を示した斜視図である。
【図３】実施形態２を示すもので、携帯電話を縦方向に開いた状態を示した斜視図である。
【図４】図３の携帯電話を横方向に開いた状態を示した斜視図である。
【図５】実施形態３を示すもので、携帯電話を折り畳んだ状態を示した斜視図である。
【図６】図５の携帯電話を縦方向に開いた状態を示した斜視図である。
【図７】図５の携帯電話を横方向に開いた状態を示した斜視図である。
【図８】実施形態４を示すもので、携帯電話を折り畳んだ状態を示した斜視図である。
【図９】図８の携帯電話の側面図（ａ）と、その把持補助部材を伸ばした状態を示した側面図（ｂ）である。
【図１０】実施形態５を示す斜視図で、携帯電話を折り畳んだ状態を示した図（ａ）と、縦方向に開いた状態を示した図（ｂ）と、横方向に開いた状態を示した図（ｃ）である。
【図１１】実施形態６を示す斜視図で、携帯電話を縦方向に開いた状態を簡略化して示した図（ａ）と、横方向に開いた状態を示した図（ｂ）である。
【図１２】実施形態７を示す斜視図で、携帯電話を縦方向に開いた状態を簡略化して示した図（ａ）と、横方向に開いた状態を示した図（ｂ）である。
【図１３】従来の携帯通信機器の一例を示す斜視図で、携帯スタイル時を簡略化して示した図（ａ）と、ＰＣスタイル時を示した図（ｂ）である。
【符号の説明】
【００４８】
１  第１の筐体
２  第２の筐体
３  表示部
４  操作部
５  回転ヒンジ部
６  第１のヒンジ軸
７  第２のヒンジ軸
８  連結部材
１１  レシーバ
１２  マイク
１３  滑り止め部
１４  把持用幅狭部
１５・１６・１７・１８・１９  弾性変形部
２１  把持補助部材
【図１】
0005019221.tif 000002
【図２】
0005019221.tif 000003
【図３】
0005019221.tif 000004
【図４】
0005019221.tif 000005
【図５】
0005019221.tif 000006
【図６】
0005019221.tif 000007
【図７】
0005019221.tif 000008
【図８】
0005019221.tif 000009
【図９】
0005019221.tif 000010
【図１０】
0005019221.tif 000011
【図１１】
0005019221.tif 000012
【図１２】
0005019221.tif 000013
【図１３】
0005019221.tif 000014